【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
デバイスを需要応答システムに接続する需要応答アダプタ（１）であって、
前記需要応答アダプタ（１）は、
電力入力部（２）と、
電力出力部（３）と、
リレースイッチ（４）と、
コントローラ（５）とを備え、
前記電力入力部（２）は電力網から電力を受けるように設けられ、
前記電力出力部（３）は前記デバイスに接続されるように設けられ、かつ、前記電力入力部（２）を介して受けられた前記電力を、前記電力出力部（３）に電気的に接続された前記デバイスに伝送させるように設けられ、
前記リレースイッチ（４）は、前記電力入力部（２）から前記電力出力部（３）に電力を伝送させる導電状態と、前記電力入力部（２）から前記電力出力部（３）に電力を伝送させない非導電状態との間で切り替え可能であることによって、前記電力入力部（２）から前記電力出力部（３）への電力の流れを制御するように設けられ、
前記コントローラ（５）は、ユーザによって提供される第１の制約と、前記需要応答システムによって供給される電力の可用性に依存する第３の制約との組み合わせに応じて、前記デバイスに電力を伝送させるべきであるかの決定を下すように設けられた需要応答制御システムに接続されるように設けられ、
前記コントローラ（５）は、前記コントローラ（５）が前記需要応答制御システムの前記決定に応じて導電状態と非導電状態との間で前記リレースイッチ（４）を切り替えることが可能であるように、前記リレースイッチ（４）に接続され、
前記コントローラ（５）は第２の制約のデータベースに接続可能なデータベース接続部を備え、前記第２の制約は前記電力出力部（３）を介して前記需要応答アダプタに接続された前記デバイスに依存し、
前記需要応答アダプタ（１）の前記コントローラ（５）は、時間の関数で前記デバイスによって使用される電力量を測定するセンサ（６）を備える前記需要応答アダプタ（１）において、
前記データベース接続部は、前記需要応答アダプタに接続された前記デバイスに応じて、前記需要応答制御システムには前記需要応答アダプタに接続された前記デバイスに対応する前記第２の制約が提供されることが可能なように、前記第２の制約のデータベースに接続可能であり、
前記需要応答制御システムは、前記第１の制約、前記第２の制約、及び前記第３の制約の組み合わせに基づいて決定を下すためのソフトウェアコンポーネントを備え、
前記コントローラ（５）は、センサ（６）によって検出される時間の関数で前記デバイスによって使用される電力量を分析することによって前記デバイスによるプログラムの開始を検出するためのソフトウェアコンポーネントを備え、
前記アダプタの前記コントローラ（５）は、前記需要応答制御システムの決定に基づいて前記コントローラ（５）が前記特定のプログラムの実行を完了するために前記リレースイッチ（４）を導電状態に切り替えるまで、前記プログラムの開始の検出に応じて、前記リレー（４）を非導電状態に切り替えるためのソフトウェアコンポーネントを備えることを特徴とする需要応答アダプタ。
【請求項２】
時間の関数で前記デバイスによって使用される電力量を測定する前記センサ（６）は、電流センサ（６）であることを特徴とする請求項１に記載の需要応答アダプタ（１）。
【請求項３】
前記コントローラ（５）はネットワークインターフェース（７）を備えることを特徴とする請求項１又は２に記載の需要応答アダプタ（１）。
【請求項４】
前記アダプタは、前記アダプタを前記デバイスの前記デバイスハウジングから分離してエンケースするアダプタハウジング（８）を備えることを特徴とする請求項１から３までのうちのいずれか１つの請求項記載の需要応答アダプタ（１）。
【請求項５】
前記アダプタの前記アダプタハウジング（８）は、前記電力出力部（３）において前記デバイスの標準的な電気プラグを受ける標準的な電気コネクタと、前記電力入力部において標準的なアウトレットに受けられる標準的なプラグとを備えることを特徴とする請求項４に記載の需要応答アダプタ（１）。
【請求項６】
前記第１の制約は、前記プログラムが終了されるべきときの時刻と、前記プログラムが開始するべきときの時刻とのうちのいずれか１つを備えることを特徴とする請求項１から５までのうちのいずれか１つの請求項記載の需要応答アダプタ（１）。
【請求項７】
前記デバイスを需要応答システムに接続する需要応答アダプタ（１）であって、
前記電力入力部（２）は、電力網から電力を受けるように設けられ、
前記電力出力部（３）は、前記デバイスに接続され、前記電力入力部（２）を介して受けられた前記電力を、前記電力出力部（３）に電気的に接続された前記デバイスに伝送するように設けられる請求項１から６までのうちのいずれか１つの請求項記載の需要応答アダプタ（１）。
【請求項８】
前記需要応答アダプタの前記コントローラ（５）は前記ネットワークインターフェース（７）を介してネットワークに接続されることを特徴とする少なくとも請求項３に従属する請求項７記載の需要応答アダプタ（１）。
【請求項９】
前記デバイスは、洗濯機、回転式乾燥機、食洗機のうちのいずれか１つであることを特徴とする請求項７又は８に記載の需要応答アダプタ（１）。
【請求項１０】
前記データベース接続部は、第２の制約の前記データベースに接続され、
前記第２の制約は、前記デバイスの最長のプログラムの実行期間と、プログラムを実行するために必要とされる時間の関数での電力量と、前記特定のプログラムの開始の時間期間において時間の関数で前記デバイスによって使用される電力量とのうちのいずれか１つを備えることを特徴とする請求項７から９までのうちのいずれか１つの請求項記載の需要応答アダプタ（１）。
【請求項１１】
前記デバイスはプログラムを実行するためにプログラムされるように設けられ、
前記デバイスは、前記リレーの導電状態において前記プログラムが開始されて、前記特定のプログラムの開始の検出により前記リレーが非導電状態に切り替えられた後において、前記需要応答アダプタの前記コントローラによって前記リレーを非導電状態から導電状態に切り替えることによって前記デバイスへの電力の供給が再びオンに切り替えられるとき、前記プログラムの実行を継続するように設けられることを特徴とする請求項７から１０までのうちのいずれか１つの請求項記載の需要応答アダプタ（１）。
【請求項１２】
前記第２の制約が更に、前記プログラムの期間と前記プログラムの電気特徴の両方を含む、請求項１から１１までのうちのいずれか１つの請求項記載の需要応答アダプタ（１）。
【請求項１３】
前記需要応答システムの決定が、前記プログラムの開始の検出時よりも電力が高価でないという決定を含む、請求項１から１１までのうちのいずれか１つの請求項記載の需要応答アダプタ（１）。
【請求項１４】
更に、前記プログラムの開始の検出に応じて、前記リレーを非導電状態に自動的に切り替えるように構成されている、請求項１から１１までのうちのいずれか１つの請求項記載の需要応答アダプタ（１）。
【請求項１５】
更に、前記プログラムの開始にて、前記デバイスにより生成される、時間に対する消費される電力の電気パターンの検出に応じて、前記リレーを非導電状態に自動的に切り替えるように構成されている、請求項１から１４までのうちのいずれか１つの請求項記載の需要応答アダプタ（１）。
【請求項１６】
前記第２の制約が、前記デバイスの最長のプログラムの期間である、請求項１から１５までのうちのいずれか１つの請求項記載の需要応答アダプタ（１）。
【請求項１７】
前記第２の制約が、前記デバイスの前記プログラムの期間である、請求項１から１６までのうちのいずれか１つの請求項記載の需要応答アダプタ（１）。
【請求項１８】
前記デバイスを需要応答システム又はホームオートメーションシステムに接続し、前記電力入力部（２）は、電力網に接続されて前記電力網から電力を受け、前記データベース接続部は前記第２の制約の前記データベースに接続されるデバイス及び需要応答アダプタを使用する方法において、
前記使用する方法は、
前記需要応答アダプタが、前記電力入力部（２）から前記電力出力部（３）及び前記デバイスに電力を伝送させるステップと、
前記デバイスが特定のプログラムを開始するステップと、
前記コントローラが、前記センサ（６）によって検出される時間の関数で前記デバイスによって使用される電力量を分析することによって、前記デバイスの前記プログラムの開始を検出するステップと、
前記アダプタの前記コントローラ（５）が、前記プログラムの開始が検出されたときであって、前記需要応答制御システムの決定に基づいて、前記コントローラ（５）が、前記デバイスが前記特定のプログラムの実行を継続して前記プログラムの実行の完了のために前記リレースイッチ（４）を導電状態に切り替えるまで、前記リレー（４）を非導電状態に切り替えるステップとを含むことを特徴とする請求項７から１１までのうちのいずれか１つの請求項記載の需要応答アダプタを使用する方法。
【請求項１９】
前記デバイスは、前記プログラムの開始の前に、前記特定のプログラムを実行するためにプログラムされることを特徴とする請求項１８に記載の需要応答アダプタを使用する方法。